(57)【要約】【課題】  汎用の巻き３つ折り圧着装置を使用して簡単に製造することができる、往信葉書が剥離可能に接着された３枚の紙片からなる構成の隠蔽往復葉書の製造方法を提供することである。【解決手段】  幅方向に送り孔部と往信表面添付紙片と返信紙片と往信本体紙片と送り孔部と往信裏面添付紙片と送り孔部が順に連接された連続用紙を使用して、固定情報を印刷する工程と、易剥離性感圧接着剤及び感圧接着剤を塗布する工程と、個人情報をプリントする工程と、往信表面添付紙片の返信紙片側の側端に複数の開口と切欠を形成し往信裏面添付紙片の送り孔部側の側端に切欠を形成する工程と、往信裏面添付紙片をスリットして往信本体紙片面に重ねて接着する工程と、連続用紙を流れに直角方向の所定位置でカットして枚葉用紙とする工程と、枚葉用紙を３つ折りして加圧接着する工程と、側端部を化粧断裁して除去する工程からなる隠蔽往復葉書の製造方法である。【選択図】    図１
2005103974.tif 000002
【特許請求の範囲】
【請求項１】
幅方向に第１送り孔部と往信表面添付紙片と返信紙片と往信本体紙片と第２送り孔部と往信裏面添付紙片と第３送り孔部が順に連接された連続用紙を使用して、固定情報を印刷する工程と、往信表面添付紙片及び往信本体紙片の一方の面と、往信裏面添付紙片及び往信本体紙片の他方の面とに易剥離性感圧接着剤を塗布する工程と、個人情報をデータ出力によりプリントする工程と、往信表面添付紙片の返信紙片側の側端に複数の開口と切欠を形成するとともに往信裏面添付紙片の第３送り孔部側の側端に切欠を形成する工程と、一方の面側の往信表面添付紙片の第１送り孔部側の側端と他方の面側の往信本体紙片の返信紙片側の側端に感圧接着剤を塗布する工程と、往信本体紙片と第２送り孔部間でスリットして往信本体紙片の一方の面に往信裏面添付紙片を重ね合わせて返信紙片側の側端部で接着剤により接着する工程と、両側端の送り孔部をスリットして除去し流れに直角方向の所定位置にてカットして枚葉用紙とする工程と、カットした枚葉用紙を往信裏面添付紙片が返信紙片に重なるように巻き３つ折りして加圧接着する工程と、巻き３つ折りして加圧接着した枚葉用紙の複数の開口と切欠が形成されている側の端縁部を仕上げ断裁して除去する工程からなることを特徴とする、往信葉書が剥離可能に接着された往信本体紙片と往信表面添付紙片と往信裏面添付紙片の３枚の紙片が剥離可能に接着された構成の隠蔽往復葉書の製造方法。
【発明の詳細な説明】
【技術分野】
【０００１】
本発明は、巻き３つ折り加圧接着装置により製造することができる、往信葉書が剥離可能に接着された往信本体紙片と往信表面添付紙片と往信裏面添付紙片の３枚の紙片が剥離可能に接着された構成の隠蔽往復葉書の製造方法に関する。
【背景技術】
【０００２】
従来、隠蔽往復葉書の製造方法としては、幅方向に往信部３紙片と返信部１紙片が順に連接された用紙を使用して、Ｗ字状に４つ折りして往信部用紙間を接着する多層ハガキの製造方法（例えば、特許文献１参照）が知られている。
【特許文献１】特開平１１−１８８９７８号公報
【０００３】
しかしながら、上記の多層ハガキの製造方法では、幅方向に往信部３紙片と返信部１紙片が順に連接された用紙をＷ字状に４つ折りして圧着することにより、往信部用紙間を接着して多層ハガキを製造する方法であるため、Ｗ字状に４つ折りする工程が煩雑であり特殊な折り装置が必要になるという欠点を有している。
【発明の開示】
【発明が解決しようとする課題】
【０００４】
本発明は、所定の印刷及び加工が施された連続用紙を流れと直角方向にカットして得られた枚葉用紙を、３つ折り圧着ハガキを製造する際に使用されている汎用の３つ折り圧着装置にて巻き３つ折り圧着して製造することができる、往信葉書が剥離可能に接着された往信本体紙片と往信表面添付紙片と往信裏面添付紙片の３枚の紙片が剥離可能に接着された構成の隠蔽往復葉書の製造方法を提供することである。  
【課題を解決するための手段】
【０００５】
幅方向に第１送り孔部と往信表面添付紙片と返信紙片と往信本体紙片と第２送り孔部と往信裏面添付紙片と第３送り孔部が順に連接された連続用紙を使用して、固定情報を印刷する工程と、往信表面添付紙片及び往信本体紙片の一方の面と、往信裏面添付紙片及び往信本体紙片の他方の面とに易剥離性感圧接着剤を塗布する工程と、個人情報をデータ出力によりプリントする工程と、往信表面添付紙片の返信紙片側の側端に複数の開口と切欠を形成するとともに往信裏面添付紙片の第３送り孔部側の側端に切欠を形成する工程と、一方の面側の往信表面添付紙片の第１送り孔部側の側端と他方の面側の往信本体紙片の返信紙片側の側端に感圧接着剤を塗布する工程と、往信本体紙片と第２送り孔部間でスリットして往信本体紙片の一方の面に往信裏面添付紙片を重ね合わせて返信紙片側の側端部で接着剤により接着する工程と、両側端の送り孔部をスリットして除去し流れに直角方向の所定位置にてカットして枚葉用紙とする工程と、カットした枚葉用紙を往信裏面添付紙片が返信紙片に重なるように巻き３つ折りして加圧接着する工程と、巻き３つ折りして加圧接着した枚葉用紙の複数の開口と切欠が形成されている側の端縁部を仕上げ断裁して除去する工程からなることを特徴とする、往信葉書が剥離可能に接着された往信本体紙片と往信表面添付紙片と往信裏面添付紙片の３枚の紙片が剥離可能に接着された構成の隠蔽往復葉書の製造方法である。
【発明の効果】
【０００６】
本発明の製造方法を採用することにより、汎用の３つ折り圧着装置を使用し、枚葉用紙を巻き３つ折り圧着することにより、往信葉書が剥離可能に接着された往信本体紙片と往信表面添付紙片と往信裏面添付紙片の３枚の紙片が剥離可能に接着された構成の隠蔽往復葉書を簡単に製造することができる。
【発明を実施するための最良の形態】
【０００７】
以下、図面に基づいて本発明の実施の形態を説明する。
図１は本発明の製造工程中における連続用紙の一方の面を示す平面図、図２は図１に示す連続用紙を左右方向に表裏を反転した平面図、図３は往信裏面添付紙片部をスリット線にてスリットし往信本体紙面に重ねて接着した状態を示す平面図、図４はスリット線にてスリットして送り孔部を除去しカット線にて連続用紙を流れに直角方向にカットした状態の平面図、図５は図４に示す紙片を巻き３つ折りして圧着した状態の平面図、図６は図５におけるＩ−Ｉ線断面図、図７は図５に示す状態から開口及び切欠のある側の側端部をカットして作製された隠蔽往復葉書を示す平面図であって、１は往信表面添付紙片、２は返信紙片、３は往信本体紙片、４は往信裏面添付紙片、5a，5b，5c，5dはスリット線、6a，6bは折目線、7aは仕上げ断裁線、7bはカット線、８は開口、９は切欠、10は易剥離性感圧接着剤、11は感圧接着剤、12は接着剤、13は第１送り孔部、14は第２送り孔部、15は第３送り孔部をそれぞれ表す。
【０００８】
本発明の隠蔽往復葉書の製造方法について以下に説明する。隠蔽往復葉書を製造するための連続用紙に、慣用の方法により、送り孔部を設け、所定領域に固定情報を印刷し、スリット線とカット線と折目線を設け、所定領域に易剥離性感圧接着剤及び感圧接着剤を塗布し、所定領域に個人情報をデータ出力によりプリントし、所定位置に複数の開口と切欠を形成した、製造工程途中における連続用紙は、図１、図２に示すとおりである。図１は連続用紙の一方の面を示す平面図であり、図２は左右方向に表裏を反転した連続用紙の他方の面を示す平面図である。
【０００９】
図１、図２に示される、隠蔽往復葉書の製造工程途中における連続用紙は、幅方向に往信表面添付紙片１と返信紙片２と往信本体紙片３と往信裏面添付紙片４が順に連接され、往信表面添付紙片１の側端縁側にはスリット線5aを介して第１送り孔部13が形成され、往信裏面添付紙片４の側端縁側にはスリット線5dを介して第３送り孔部15が形成され、往信本体紙片３と往信裏面添付紙片４間にスリット線5bとスリット線5cを介して第２送り孔部14が形成され、往信表面添付紙片１と返信紙片２間には折目線6aが形成されるとともに折目線6aの両側には所定の間隔をおいて仕上げ断裁線7aが形成されるとともに往信本体紙片３の第２送り孔部14側の側端と往信裏面添付紙片４の第３送り孔部15側の側端に仕上げ断裁線7aが形成され、返信紙片２と往信本体紙片３間には折目線6bが形成され、往信表面添付紙片１の返信紙片２側の端縁部に沿って複数の開口８と切欠９が形成されるとともに往信裏面添付紙片４の第３送り孔部15側の端縁に切欠９が形成されている構成である。
【００１０】
連続用紙の一方の面では、往信表面添付紙片１の面と往信本体紙片３の面に易剥離性感圧接着剤10が塗布されるとともに、往信表面添付紙片１の第１送り孔部13側の側端に沿って感圧接着剤11が塗布されており、連続用紙の他方の面では、往信裏面添付紙片４の面と往信本体紙片３の面に易剥離性感圧接着剤10が塗布されるとともに、往信本体紙片３の返信紙片２側の側端に沿って感圧接着剤11が塗布されている。易剥離性感圧接着剤10が塗布された面同志を合わせて加圧すると剥離可能な接着部が形成され、感圧接着剤11が塗布された面同志を合わせて加圧すると剥離不能な強接着部が形成されるものである。
【００１１】
一方の面が図１に他方の面が図２にそれぞれ示される構成の連続用紙を、図１に示す状態における往信裏面添付紙片４の往信本体紙片３側のスリット線5cにてスリットして往信裏面添付紙片４を切り離し、往信裏面添付紙片４のスリットした端縁が返信紙片２と往信本体紙片３間の折目線6bと一致するように往信本体紙片３面に往信裏面添付紙片４を重ね合わせて、往信裏面添付紙片４のスリットした端縁に沿ってエマルジョンなどの接着剤12により往信本体紙片３と往信裏面添付紙片４を貼り合わせて、図３に示す状態とする。
【００１２】
図３に示す連続用紙の状態から、両側端に連接されている第１送り孔部13及び第３送り孔部15をスリット線5a及びスリット線5dにてスリットして除去するとともに、連続用紙の流れと直角方向のカット線7bにてカットすることにより、図４に示す、隠蔽往復葉書の展開した状態の枚葉用紙とする。図４に示す状態から、往信裏面添付紙片４を内側にして往信裏面添付紙片４が返信紙片２に重なるように巻き３つ折りして加圧することにより、所定の領域にて各紙片間を接着させて、平面図が図５に、横断面図が図６にそれぞれ示される状態とする。
【００１３】
図５、図６に示す、巻き３つ折りされ加圧接着された状態では、図６に示すように、往信表面添付紙片１と往信本体紙片３と往信裏面添付紙片４と返信紙片２が順に重なり合った状態となり、往信表面添付紙片１と往信本体紙片３間及び往信本体紙片３と往信裏面添付紙片４間が易剥離性感圧接着剤10により剥離可能に接着されるとともに、往信表面添付紙片１と往信本体紙片３の端縁部間が感圧接着剤11により、往信本体紙片３と往信裏面添付紙片４の端縁部間が接着剤12により、それぞれ剥離不能に接着されて分離しない状態となっており、往信表面添付紙片１の側端部に形成された開口８から往信本体紙片３の他方の面の側端部に印刷された「往復はがき」の文字が露出し、往信表面添付紙片１の開口８が形成された側端部の下角部に切欠９が形成された状態となっている。
【００１４】
図５、図６に示す、巻き３つ折りされ加圧接着された状態から、側端の仕上げ断裁線7aに沿って断裁することにより、重なり合った往信表面添付紙片１と往信本体紙片３と往信裏面添付紙片４と返信紙片２の端縁部が切り取られて、平面図が図７に示される、本発明の隠蔽往復葉書が作製される。
【００１５】
図７に示される、本発明の隠蔽往復葉書は、往信本体紙片３の表面に往信表面添付紙片１が、往信本体紙片３の裏面に往信裏面添付紙片４がそれぞれ剥離可能に接着された往信本体紙片３を往信葉書本体とする３紙片からなる往信葉書と、返信紙片２からなる返信葉書が折目にて連接された構成である。本発明の隠蔽往復葉書では、３紙片からなる往信葉書の往信表面添付紙片１と往信本体紙片３と往信裏面添付紙片４のそれぞれ対向する４面に隠蔽情報をプリントすることが可能であり、汎用の３つ折り加圧接着装置を使用して簡単に製造することが可能となるものである。
【図面の簡単な説明】
【００１６】
【図１】本発明の製造工程中における連続用紙の一方の面を示す平面図。
【図２】図１に示す連続用紙を左右方向に表裏を反転した平面図。
【図３】往信裏面添付紙片部をスリット線にてスリットし往信本体紙面に重ねて接着した状態を示す平面図。
【図４】スリット線にてスリットして送り孔部を除去しカット線にて連続用紙を流れに直角方向にカットした状態の平面図。
【図５】図４に示す紙片を巻き３つ折りして圧着した状態の平面図。
【図６】図５におけるＩ−Ｉ線断面図。
【図７】図５に示す状態から開口及び切欠のある側の側端部を化粧断裁して作製された隠蔽往復葉書を示す平面図。
【符号の説明】
【００１７】
１  往信表面添付紙片
２  返信紙片
３  往信本体紙片
４  往信裏面添付紙片
5a，5b，5c，5d  スリット線
6a，6b  折目線
7a  仕上げ断裁線
7b  カット線
８  開口
９  切欠
10  易剥離性感圧接着剤
11  感圧接着剤
12  接着剤
13  第１送り孔部
14  第２送り孔部
15  第３送り孔部
【図１】
2005103974.tif 000003
【図２】
2005103974.tif 000004
【図３】
2005103974.tif 000005
【図４】
2005103974.tif 000006
【図５】
2005103974.tif 000007
【図６】
2005103974.tif 000008
【図７】
2005103974.tif 000009